(57)【要約】【課題】  携帯端末を用いて容易に情報公開することを実現する。また、携帯端末で公開される情報を容易に閲覧することを実現する。【解決手段】  クライアント端末３は、中継装置２にデータ送信要求を送信する。この要求の要求先は携帯電話端末１の使用者の電話番号である。中継装置２は、データ送信要求の要求先を携帯電話端末１のＩＰアドレスに変換して送信する。携帯電話端末１は、データ送信要求を受け取ると、要求されたデータをＷｅｂページのデータに変換し、中継装置２に送信する。Ｗｅｂページのデータを受け取った中継装置２は、これまでに携帯電話端末１から送信されたＷｅｂページのデータの送信回数、および送信量を集計し、Ｗｅｂページのデータを要求元のクライアント端末３に送信する。【選択図】  図３
2007188189.tif 000002
【特許請求の範囲】
【請求項１】
端末ＩＤが予め割り当てられている携帯端末であって、
外部と通信ネットワークを介してデータ通信を行う通信手段と、
公開用データを記憶する記憶手段と、
自端末の動作を制御する制御手段とを備えており、
該制御手段は、
上記端末ＩＤに対するデータ送信要求を、上記通信手段を介して取得する要求取得手段と、
上記データ送信要求に対応する公開用データを上記記憶手段から読み出し、読み出した公開用データに基づくデータを、上記通信手段を介して要求元に送出するデータ送出手段とを備えることを特徴とする携帯端末。
【請求項２】
データの入力を受け付ける入力手段と、
データを表示する表示手段とをさらに備えており、
上記制御手段は、
上記公開用データを上記入力手段から取得するデータ取得手段と、
上記公開用データを上記表示手段に表示させる表示制御手段と、
上記公開用データを編集する編集手段とをさらに備えることを特徴とする請求項１に記載の携帯端末。
【請求項３】
上記記憶手段は、上記公開用データの公開が許可されていることを示す公開許可フラグを、上記公開用データと対応付けて記憶しており、
上記データ送出手段は、上記データ送信要求に対応する公開用データに対応する公開許可フラグを上記記憶手段から読み出し、読み出した公開許可フラグに基づいて、上記公開用データに基づくデータを送出することを特徴とする請求項１に記載の携帯端末。
【請求項４】
上記記憶手段は、上記公開用データに基づくデータの送出が許可されている１または複数の情報端末の情報を含む送出許可端末リストをさらに記憶しており、
上記データ送出手段は、上記要求元の情報端末が、上記送出許可端末リストが示す情報端末に該当する場合、上記公開用データに基づくデータを送出することを特徴とする請求項１に記載の携帯端末。
【請求項５】
上記要求元を認証する認証手段をさらに備えることを特徴とする請求項１に記載の携帯端末。
【請求項６】
上記携帯端末は、携帯電話端末であることを特徴とする請求項１に記載の携帯端末。
【請求項７】
端末ＩＤが予め割り当てられている携帯端末を含む複数の情報端末と通信ネットワークを介してデータ通信を行う通信手段と、
上記携帯端末の使用者を識別する使用者ＩＤと、端末ＩＤとを対応付けた対応テーブルを記憶する記憶手段と、
自装置の動作を制御する制御手段とを備えており、
該制御手段は、
上記使用者ＩＤに対するデータ送信要求を上記通信手段を介して取得すると、上記対応テーブルを参照して、上記使用者ＩＤに対するデータ送信要求を、上記使用者ＩＤに対応する上記端末ＩＤに対するデータ送信要求に変換し、変換したデータ送信要求を上記通信手段を介して上記通信ネットワークに送信することを特徴とするデータ中継装置。
【請求項８】
端末ＩＤが予め割り当てられている携帯端末に対するデータ送信要求の回数、および／または、該データ送信要求に応じて送信されたデータの量を集計する集計手段をさらに備えることを特徴とする請求項７に記載のデータ中継装置。
【請求項９】
端末ＩＤが予め割り当てられている携帯端末を含む複数の情報端末と通信ネットワークを介してデータ通信を行う通信手段と、
自装置の動作を制御する制御手段とを備えており、
該制御手段は、
上記端末ＩＤに対するデータ送信要求を上記通信手段を介して取得すると、上記データ送信要求を上記通信手段を介して上記携帯端末に送出する一方で、上記データ送信要求に対応するデータを上記携帯端末から上記通信手段を介して取得すると、上記データを上記通信手段を介して要求元に送出する中継手段と、
上記端末ＩＤに対するデータ送信要求の回数、および／または、該データ送信要求に応じて送信されたデータの量を集計する集計手段とを備えることを特徴とするデータ中継装置。
【請求項１０】
請求項１乃至６の何れか一項に記載の携帯端末を含む複数の情報端末と、該情報端末と通信ネットワークを介して通信可能に接続された請求項７乃至９の何れか一項に記載のデータ中継装置とを備えることを特徴とするデータ提供システム。
【請求項１１】
端末ＩＤが予め割り当てられている携帯端末であって、外部と通信ネットワークを介してデータ通信を行う通信手段と、公開用データを記憶する記憶手段とを備える携帯端末の制御方法であって、
上記端末ＩＤに対するデータ送信要求を、上記通信手段を介して取得する要求取得ステップと、
上記データ送信要求に対応する公開用データを上記記憶手段から読み出し、読み出した公開用データに基づくデータを、上記通信手段を介して要求元に送出するデータ送出ステップとを備えることを特徴とする携帯端末の制御方法。
【請求項１２】
端末ＩＤが予め割り当てられている携帯端末を含む複数の情報端末と通信ネットワークを介してデータ通信を行う通信手段と、上記携帯端末の使用者を識別する使用者ＩＤと、端末ＩＤとを対応付けた対応テーブルを記憶する記憶手段と、自装置の動作を制御する制御手段とを備えるデータ中継装置の制御方法であって
上記使用者ＩＤに対するデータ送信要求を上記通信手段を介して取得するステップと、
上記対応テーブルを参照して、上記使用者ＩＤに対するデータ送信要求を、上記使用者ＩＤに対応する上記端末ＩＤに対するデータ送信要求に変換するステップと、
変換したデータ送信要求を上記通信手段を介して上記通信ネットワークに送信するステップとを備えることを特徴とするデータ中継装置の制御方法。
【請求項１３】
端末ＩＤが予め割り当てられている携帯端末を含む複数の情報端末と通信ネットワークを介してデータ通信を行う通信手段を備えるデータ中継装置の制御方法であって、
上記端末ＩＤに対するデータ送信要求を上記通信手段を介して取得すると、上記データ送信要求を上記通信手段を介して上記携帯端末に送出する一方で、上記データ送信要求に対応するデータを上記携帯端末から上記通信手段を介して取得すると、上記データを上記通信手段を介して要求元に送出するステップと、
上記端末ＩＤに対するデータ送信要求の回数、および／または、該データ送信要求に応じて送信されたデータの量を集計するステップとを備えることを特徴とするデータ中継装置の制御方法。
【請求項１４】
請求項１乃至６の何れか一項に記載の携帯端末の制御手段における各手段として、コンピュータに機能させることを特徴とする携帯端末制御プログラム。
【請求項１５】
請求項１４に記載の携帯端末制御プログラムを記録したことを特徴とするコンピュータ読み取り可能な記録媒体。
【発明の詳細な説明】
【技術分野】
【０００１】
本発明は、端末ＩＤが予め割り当てられている携帯端末およびその制御方法、該携帯端末を含む複数の情報端末と通信ネットワークを介して通信可能に接続されたデータ中継装置およびその制御方法、上記複数の情報端末と上記データ中継装置とを備えるデータ提供システム、携帯端末制御プログラム、ならびに該プログラムを記録した記録媒体に関するものである。具体的には、本発明は、携帯端末を用いた情報公開に関するものである。
【背景技術】
【０００２】
従来、携帯端末を用いてＷｅｂページ等で情報公開や情報共有を行うシステムでは、情報の公開者は、携帯端末からＷｅｂサーバにデータを送信していた。そして、情報の閲覧者は、該Ｗｅｂサーバにアクセスして情報を閲覧していた。
【０００３】
また、特許文献１では、携帯端末を利用した情報共有システムにおいて、携帯端末の利用者が容易に情報入力ができ、安全かつ確実にその情報をＷｅｂサーバに反映し、情報共有できるシステムが提案されている。
【特許文献１】特開２００３−２４２０８０号公報（２００３年８月２９日公開）
【発明の開示】
【発明が解決しようとする課題】
【０００４】
しかし、このような従来の方法では、取得した情報を公開するためには、データを携帯端末からＷｅｂサーバに送信するという余計な作業が発生する。
【０００５】
また、インターネットにおいて、Ｗｅｂページにアクセスする場合には、アドレスを入力する必要がある。しかし、アドレスを入力する作業は、手間が掛かる上、アドレスの入力間違いでアクセスできないことや、アドレスの記憶間違いによって、所望のウェブサイトにアクセスできないことがある。特に、携帯電話機からウェブサイトのアドレスを入力する作業は手間が掛かる。
【０００６】
本発明は、上記の問題点に鑑みてなされたものである。そして、本発明の第１の目的は、携帯端末の使用者が、より容易に情報公開を行うことができる携帯端末を提供することであり、第２の目的は、情報の閲覧者が、上記携帯端末が公開する情報に、より容易にアクセスすることを可能にするデータ中継装置を提供することである。
【課題を解決するための手段】
【０００７】
本発明に係る携帯端末は、上記課題を解決するために、端末ＩＤが予め割り当てられている携帯端末であって、外部と通信ネットワークを介してデータ通信を行う通信手段と、公開用データを記憶する記憶手段と、自端末の動作を制御する制御手段とを備えており、該制御手段は、上記端末ＩＤに対するデータ送信要求を、上記通信手段を介して取得する要求取得手段と、上記データ送信要求に対応する公開用データを上記記憶手段から読み出し、読み出した公開用データに基づくデータを、上記通信手段を介して要求元に送出するデータ送出手段とを備えることを特徴とする。なお、この端末ＩＤの例としては、ＩＰアドレスなどが挙げられる。
【０００８】
上記構成によって、上記携帯端末は、該携帯端末が持つ端末ＩＤに対するデータ要求を受信し、要求されたデータを要求元に送信する。
【０００９】
ところで、従来は、携帯端末で情報公開を行う場合、任意のＷｅｂサーバ上に、情報公開を行うための領域を有する必要があり、さらに、公開するデータを該Ｗｅｂサーバに送信する必要があった。
【００１０】
しかしながら、上記携帯端末は、データ要求を受信し、要求されたデータを要求元に送信するので、上記携帯端末の使用者は、情報公開を行うための領域をＷｅｂサーバ上に有する必要はなく、また、公開したいデータをＷｅｂサーバに送信する必要もない。
【００１１】
すなわち、上記携帯端末を使用することで、容易に情報公開を行うことができる。
【００１２】
また、従来は、送信する情報の量に応じて課金される料金体系であったため、公開するデータの容量が大きくなるとともに、料金の負担額も大きくなってしまう問題があった。
【００１３】
そこで、上記データ送信要求に応じて携帯端末が送信するデータには、送信料金を課さない料金体系とすることもできる。該料金体系を適用することで、上記携帯端末の使用者の費用負担を軽減することができる。
【００１４】
また、上記携帯端末は、データの入力を受け付ける入力手段と、データを表示する表示手段とをさらに備えており、上記制御手段は、上記公開用データを上記入力手段から取得するデータ取得手段と、上記公開用データを表示手段に表示させる表示制御手段と、上記公開用データを編集する編集手段とをさらに備えてこといることが好ましい。
【００１５】
上記構成によれば、携帯端末は、情報を取得し、取得した情報を記憶することができ、携帯端末に記憶された情報は、閲覧および編集が可能である。上記入力手段は、具体的には、画像データ、音声データ、文字データなどの入力を受け付ける。
【００１６】
すなわち、該使用者は、本携帯端末で任意のデータを取得し、編集することができるので、所望のデータを公開することができる。
【００１７】
また、上記携帯端末は、上記記憶手段は、上記公開用データの公開が許可されていることを示す公開許可フラグを、上記公開用データと対応付けて記憶しており、上記データ送出手段は、上記データ送信要求に対応する公開用データに対応する公開許可フラグを上記記憶手段から読み出し、読み出した公開許可フラグに基づいて、上記公開用データに基づくデータを送出することを特徴としていることが好ましい。
【００１８】
上記構成によれば、使用者は、公開したい情報のみを容易に公開することができる。
【００１９】
また、上記携帯端末は、上記記憶手段として、上記公開用データに基づくデータの送出が許可されている１または複数の情報端末を示す送出許可端末リストをさらに記憶しており、上記データ送出手段は、上記要求元の情報端末が、上記送出許可端末リストが示す情報端末に該当する場合、上記公開用データに基づくデータを送出することを特徴としていることが好ましい。使用者が情報公開を行う場合、不特定多数の人に情報を公開したくないことも考えられる。そこで、上記の構成によると、情報公開する相手を指定することができるので、使用者の利便性が向上する。
【００２０】
さらに、上記携帯端末は、上記要求元を認証する認証手段をさらに備えることが好ましい。認証手段を用いることにより、情報公開する対象となる人を限定することができ、特定の相手のみに情報を公開することが可能となる。
【００２１】
また、上記携帯端末は、携帯電話端末であることが好ましい。すなわち、現在多数の人が使用している携帯電話端末を、上記携帯端末として利用することで、多くの人々に容易な情報公開の手段を提供することができる。
【００２２】
本発明に係るデータ中継装置は、上記課題を解決するため、端末ＩＤが予め割り当てられている携帯端末を含む複数の情報端末と通信ネットワークを介してデータ通信を行う通信手段と、上記携帯端末の使用者を識別する使用者ＩＤと、端末ＩＤとを対応付けた対応テーブルを記憶する記憶手段と、自装置の動作を制御する制御手段とを備えており、該制御手段は、上記使用者ＩＤに対するデータ送信要求を上記通信手段を介して取得すると、上記対応テーブルを参照して、上記使用者ＩＤに対するデータ送信要求を、上記使用者ＩＤに対応する上記端末ＩＤに対するデータ送信要求に変換し、変換したデータ送信要求を上記通信手段を介して上記通信ネットワークに送信することを特徴とする。ここで、使用者ＩＤの例としては、電話サービスの加入者ＩＤである電話番号、氏名、愛称などが挙げられる。
【００２３】
上記構成によれば、データ中継装置は、使用者ＩＤに対するデータ送信要求を受信する。そして、データ中継装置は、上記テーブルによって使用者ＩＤに対応付けられた端末ＩＤに、データ送信要求を送信する。
【００２４】
したがって、上記携帯端末が公開する情報を閲覧しようとする閲覧者は、使用者ＩＤをデータ要求先として、データ中継装置にデータ送信要求を送ることにより、該携帯端末が公開している情報にアクセスすることができる。その結果、閲覧者は、上記携帯端末携帯端末に予め割り当てられた、電話番号や該携帯端末の持ち主の名前や愛称等の、閲覧者により親しみやすく、覚えやすい、任意の使用者ＩＤによって、所望の情報にアクセスすることが可能となる。
【００２５】
よって、閲覧者は、所望の情報に容易にアクセスすることが可能となる。
【００２６】
また、上記データ中継装置は、端末ＩＤが予め割り当てられている携帯端末に対するデータ送信要求の回数、および／または、該データ送信要求に応じて送信されたデータの量を集計する集計手段をさらに備えていることが好ましい。
【００２７】
上記構成によれば、データ中継装置は、上記携帯端末に対するデータ送信要求の回数、および／または、該データ送信要求に応じて送信されたデータの量を集計する。
【００２８】
したがって、データ中継装置は、データ送信要求が多い、すなわち人気のある携帯端末を把握することができる。
【００２９】
本発明に係るデータ中継装置は、上記課題を解決するため、端末ＩＤが予め割り当てられている携帯端末を含む複数の情報端末と通信ネットワークを介してデータ通信を行う通信手段と、自装置の動作を制御する制御手段とを備えており、該制御手段は、上記端末ＩＤに対するデータ送信要求を上記通信手段を介して取得すると、上記データ送信要求を上記通信手段を介して上記携帯端末に送出する一方で、上記データ送信要求に対応するデータを上記携帯端末から上記通信手段を介して取得すると、上記データを上記通信手段を介して要求元に送出する中継手段と、上記集計手段とを備えていることを特徴とする。
【００３０】
上記構成によれば、データ中継装置は、上記携帯端末の端末ＩＤに対するデータ送信要求と、該データ送信要求に応じて該携帯端末から送信されるデータとを中継する。そして、該携帯端末からデータが送信された回数および／または送信されたデータの量を集計する。
【００３１】
したがって、上記データ中継装置は、端末ＩＤに対するデータ送信要求を受け付けることができ、さらに、データ送信要求が多い、人気のある携帯端末を把握することができる。
【００３２】
ここで、例えば、上記携帯端末が公開するデータの閲覧者が、ＰＣ（Personal Computer）から閲覧する場合には課金されることはないが、携帯電話機から閲覧する場合、上記データ中継装置からデータを受信するときに課金される料金体系とすることもできる。
【００３３】
上記構成によれば、人気のある携帯端末には、ＰＣからのアクセスが増加すると同時に携帯電話機からのアクセスも増加する。そして、携帯電話機からのアクセスの増加は、料金収入の増加につながる。
【００３４】
ここで、増加した料金収入の一部を、人気のある携帯端末の使用者に対して、付与することもできる。
【００３５】
つまり、本発明の携帯端末の使用者は、公開する情報を充実させ、多くの人のアクセスを獲得することによって、金銭的フィードバックを得ることができる。
【００３６】
したがって、本発明の携帯端末の使用者は、より面白い情報を公開しようと考える。そして、面白い情報が多く公開されることで、新たにアクセスする人が増え、料金収入も増加するという効果が期待できる。
【００３７】
また、上記携帯端末を含む複数の情報端末と、該情報端末と通信ネットワークを介して通信可能に接続された上記データ中継装置とを備えることを特徴とするデータ提供システムであれば、上記と同様の効果を奏することができる。
【００３８】
本発明の携帯端末の制御方法は、端末ＩＤが予め割り当てられている携帯端末であって、外部と通信ネットワークを介してデータ通信を行う通信手段と、公開用データを記憶する記憶手段とを備える携帯端末の制御方法であって、上記端末ＩＤに対するデータ送信要求を、上記通信手段を介して取得する要求取得ステップと、上記データ送信要求に対応する公開用データを上記記憶手段から読み出し、読み出した公開用データに基づくデータを、上記通信手段を介して要求元に送出するデータ送出ステップとを備えることを特徴とする。
【００３９】
上記の方法によれば、携帯端末は、通信ネットワークを介してデータ送信要求を受け付け、該データ送信要求に対応するデータを上記要求元に送信することができる。したがって、上記携帯端末を使用することで、容易に情報公開を行うことができる。
【００４０】
本発明のデータ中継装置の制御方法は、端末ＩＤが予め割り当てられている携帯端末を含む複数の情報端末と通信ネットワークを介してデータ通信を行う通信手段と、上記携帯端末の使用者を識別する使用者ＩＤと、端末ＩＤとを対応付けた対応テーブルを記憶する記憶手段と、自装置の動作を制御する制御手段とを備えるデータ中継装置の制御方法であって上記使用者ＩＤに対するデータ送信要求を上記通信手段を介して取得するステップと、上記対応テーブルを参照して、上記使用者ＩＤに対するデータ送信要求を、上記使用者ＩＤに対応する上記端末ＩＤに対するデータ送信要求に変換するステップと、変換したデータ送信要求を上記通信手段を介して上記通信ネットワークに送信するステップとを備えることを特徴とする。
【００４１】
上記の方法によれば、データ中継装置は、使用者ＩＤに対するデータ送信要求を受信する。そして、データ中継装置は、上記テーブルによって該使用者ＩＤに対応付けられた端末ＩＤに、上記データ送信要求を送信する。これにより、使用者ＩＤをデータ要求先として、データ中継装置にデータ送信要求を送ることにより、上記携帯端末が公開している情報にアクセスすることができる。よって、閲覧者は、所望の情報に容易にアクセスすることが可能となる。
【００４２】
本発明のデータ中継装置の制御方法は、端末ＩＤが予め割り当てられている携帯端末を含む複数の情報端末と通信ネットワークを介してデータ通信を行う通信手段と、自装置の動作を制御する制御手段とを備えており、上記端末ＩＤに対するデータ送信要求を上記通信手段を介して取得するステップと、上記データ送信要求を上記通信手段を介して上記携帯端末に送出する一方で、上記データ送信要求に対応するデータを上記携帯端末から上記通信手段を介して取得するステップと、上記データを上記通信手段を介して要求元に送出するステップと、端末ＩＤが予め割り当てられている携帯端末に対するデータ送信要求の回数、および／または、該データ送信要求に応じて送信されたデータの量を集計するステップとを備えることを特徴とする。
【００４３】
上記の方法によれば、データ中継装置は、上記携帯端末の端末ＩＤに対するデータ送信要求と、該データ送信要求に応じて該携帯端末から送信されるデータとを中継する。そして、該携帯端末からデータが送信された回数および／または送信されたデータの量を集計する。これにより、データ中継装置は、データの要求が集中する携帯端末を把握することができる。
【００４４】
なお、上記携帯端末における各手段を携帯端末制御プログラムによりコンピュータに機能させることができる。
【００４５】
また、上記データ中継装置における各手段をデータ中継装置制御プログラムにより、コンピュータに機能させることができる。
【００４６】
さらに、上記携帯端末制御プログラムおよび／またはデータ中継装置制御プログラムをコンピュータ読み取り可能な記録媒体に記録することにより、任意のコンピュータ上で携帯端末制御プログラムおよび／またはデータ中継装置制御プログラムを機能させることができる。
【発明の効果】
【００４７】
本発明に係る携帯端末は、以上のように、上記携帯端末がデータを指定するだけで、該データを公開することができる。それゆえ、従来のように、公開したいデータをＷｅｂサーバにアップロードする必要がない。すなわち、上記携帯端末は、容易に情報公開を行うことを可能にするという効果を奏する。
【００４８】
また、本発明に係るデータ中継装置は、以上のように、使用者ＩＤに対するデータ送信要求を受け付け、該使用者ＩＤに対応する端末ＩＤにデータ送信要求を送信する。すなわち、上記使用者ＩＤで上記携帯端末のデータにアクセスすることができる。したがって、上記使用者ＩＤを情報の閲覧者にとって覚えやすいもの、例えば携帯電話端末１の電話番号などに設定することで、上記携帯端末のデータに、より容易にアクセスすることが可能になるという効果を奏する。
【００４９】
また、本発明に係るデータ中継装置は、以上のように、上記携帯端末の端末ＩＤに対するデータ送信要求と、該データ送信要求に応じて該携帯端末から送信される情報とを中継し、該データ送信要求の回数および／または該データ送信要求に応じて送信された情報の量を集計する。それゆえ、上記データ中継装置は、上記携帯端末の端末ＩＤに対するデータ送信要求を中継することができ、また、データの要求が集中する携帯端末を把握することができるという効果を奏する。
【発明を実施するための最良の形態】
【００５０】
本発明の一実施形態の概略について図１〜図３に基づいて説明すると以下の通りである。
【００５１】
図３は、本実施形態の携帯電話端末１および中継装置２によって実現する情報公開システム（データ提供システム）６の概略構成を示している。図示のように、本実施形態の情報公開システム６は、携帯電話端末１（携帯端末）、中継装置（データ中継装置）２、クライアント端末３（要求元）、携帯電話網（通信ネットワーク）４、およびインターネット通信網（通信ネットワーク）５を備える。
【００５２】
携帯電話端末１は、携帯電話網４に接続して通話およびデータの送受信を行うものである。本実施形態では、携帯電話端末１は、予めＩＰアドレス（端末ＩＤ）が割り当てられており、データ送信要求の受信、Ｗｅｂページのデータ作成、およびＷｅｂページのデータ送信が可能である。
【００５３】
中継装置２は、携帯電話端末１とクライアント端末３との間のデータの送受信を中継するものである。具体的には、中継装置２は、クライアント端末３からの要求に応じて、携帯電話端末１が公開するデータを、携帯電話網４およびインターネット通信網５を介してクライアント端末３に送信する。また、中継装置２は、携帯電話端末１からクライアント端末３へと送られるＷｅｂページのデータが、携帯電話端末端末１から送信された回数、および携帯電話端末１から送信されたＷｅｂページのデータ量の集計も行う。中継装置２は、具体的にはＰＣ等のコンピュータ上でプログラムを動作させることによって実現する。
【００５４】
クライアント端末３は、インターネット通信網５に接続している端末で、具体的にはＰＣである。なお、本実施形態では、クライアント端末３は、ＰＣである構成を示しているが、クライアント端末３は、インターネット通信網５に接続して、情報の送受信を行うものであればＰＣに限らず、ＰＨＳ（Personal Handy-phone System）、ＰＤＡ（Personal Digital Assistants）、携帯電話機など任意の通信端末を適用することができる。
【００５５】
なお、携帯電話網４およびインターネット通信網５は周知であるので、その説明を省略する。
【００５６】
上記データ送信要求を受信した携帯電話端末１は、要求されたデータを、携帯電話網４を介して中継装置２に送信する。中継装置２は、携帯電話端末１から該データを受信すると、インターネット通信網５を介して、該データを要求元のクライアント端末３に送信する。
【００５７】
また、情報公開を行うにあたり、携帯電話端末１の使用者が行わなければならない処理は、携帯電話端末１の記憶部に格納されているデータの中で、情報公開するデータを予め指定しておく処理のみである。
【００５８】
したがって、上記情報公開システム６は、従来の情報公開システムと比較して、情報公開を容易にしており、さらに、公開されたデータを容易に閲覧することを可能にしている。
【００５９】
次に、携帯電話端末１が行う処理の詳細について図１および図４に基づいて説明すると以下の通りである。
【００６０】
図１は、本実施形態の携帯電話端末１の概略構成を示している。図示のように、携帯電話端末１は、情報入力部（入力手段）１１、制御部（制御手段）１５、操作入力部２０、記憶部（記憶手段）２１、通信部（通信手段）２４、および表示部（表示手段）２４を備える。なお、図示していないが、携帯電話端末１は、携帯電話網４を通して通話を行うための各種手段を備えている。
【００６１】
情報入力部１１は、携帯電話端末１内に種々のデータを取り込むものである。情報入力部１１は、取り込んだデータを制御部１５に送信する。
【００６２】
より詳細には、情報入力部１１は、画像入力部１２、音声入力部１３、および文字入力部１４を備える。
【００６３】
画像入力部１２は、例えばカメラ、スキャナなどを利用して、画像データを取り込むものである。音声入力部１３は、例えばマイクなどを利用して、上記の画像とともに、または単独で音声データを取り込むものである。文字入力部１４は、例えばキーボードやボタン、タッチパネルなどを利用して、文字データの入力を受け付けるものである。
【００６４】
制御部１５は、携帯電話端末１内の各種構成を統括的に制御するものである。制御部１５の機能は、例えばＲＡＭやフラッシュメモリなどの記憶装置に記憶されたプログラムをＣＰＵ（Central Processing Unit）が実行することによって実現される。制御部１５は、ファイル作成部（データ取得手段、表示制御手段、編集手段）１６、要求取得部（要求取得手段）１７、データ変換部（データ送出手段）１８、および認証部１９（認証手段）を備える。
【００６５】
ファイル作成部１６は、情報入力部１１から入力されたデータに付加情報を与える。付加情報とは、具体的には、図４に示されるような、公開フラグ（公開許可フラグ）、コメント、パスワードなどである。なお、公開フラグは、公開フラグと対応付けられているデータの公開が許可されていることを示すものである。コメントは、データを公開するときに、該データとともに公開されるものである。パスワードは、該パスワードと対応付けられているデータの公開時に、パスワードをデータ要求元に要求することを示すものである。また、ファイル作成部１６は、操作入力部２０からの入力に従って、記憶部２１内のデータファイル２２を読み出す。そして、該データファイル２２の編集、および該データファイル２２を表示部２５に表示することを可能にする。さらに、ファイル作成部１６は、作成したファイルを記憶部２１に渡し、データファイル２２として保存することができる。
【００６６】
要求取得部１７は、通信部２４を介してデータ送信要求を取得し、取得したデータ送信要求に従って、送信するデータを選択するものである。選択したデータの付加情報に公開フラグが含まれる場合、要求取得部１７は、上記データの送信要求元が、記憶部２１内のデータ送出許可端末リストに登録されているか否か確認する。登録されている場合、上記データをデータ変換部１８に送信する。また、上記データに、付加情報として、公開フラグとともにパスワードが付加されている場合、データ送出許可端末リストに登録されているか否か確認した後、認証部１９にパスワードの認証要求を送る。認証部１９で認証に成功した場合は、データ変換部１８に上記データを渡す。
【００６７】
データ変換部１８は、要求取得部１７から受信したデータファイル２２を、ＨＴＭＬ（Hyper-Text Mark-up Language）形式のＷｅｂページに変換するものである。該Ｗｅｂページは、通信部２４およびインターネット通信網５を介して要求元のクライアント端末３に送信される。
【００６８】
認証部１９は、要求取得部１７から、パスワードの認証要求を受信すると、パスワードを要求する情報を通信部２４から、データの要求元に送信するものである。また、認証部１９は、データの要求元が、上記パスワードの要求に応じて返信したパスワードの認証を行い、認証結果を要求取得部１７に送信するものである。
【００６９】
操作入力部２０は、携帯電話端末１の表面に設けられたボタン群（図示せず）などの入力デバイスを使用者が操作することにより、操作データを作成して制御部１５に送信するものである。入力デバイスとしては、ボタンスイッチの他にタッチパネルなどが挙げられる。また、操作入力部２０は、所定の操作ボタンを使用者が操作することにより、情報公開を行うデータの変更を指示する操作データを作成し、ファイル作成部１６に送信する。
【００７０】
記憶部２１は、各種データおよびプログラムを記憶するものである。記憶部２１の例としては、制御部１５が動作するときに必要なプログラム、通信制御データ等の固定データを記憶する読み出し専用の半導体メモリであるＲＯＭ（Read Only Memory）と、通信に関するデータ、演算に使用するデータ、および演算結果等を一時的に記憶するいわゆるワーキングメモリとしてのＲＡＭ（Random Access Memory）とが挙げられる。
【００７１】
本実施形態では、記憶部２１は、ファイル作成部１６で作成されたデータファイル２２、および送出許可端末リスト２３を格納している。図４は、データファイル２２、および送出許可端末リスト２３の一例を示している。図示のように、データファイル２２には、公開フラグ、コメント、パスワードなどの付加情報が付与されたものや、付加情報が付与されていないものが含まれる。また、図示のように、送出許可端末リスト２３には、データを送信することが可能な相手端末のＩＰアドレスが登録されている。使用者は、操作入力部２０を介して、送出許可端末リスト２３にデータを公開したい相手先のＩＰアドレスを登録することができる。なお、本実施形態では、送出許可端末リスト２３に、データ送信が可能な相手端末を登録する構成としたが、データ送信を行わない相手端末を登録する構成としてもよい。
【００７２】
通信部２４は、携帯電話網４を介して中継装置２とデータ通信を行うものである。具体的には、通信部２４は、中継装置２に、Ｗｅｂページのデータ、およびパスワードの要求を送信し、中継装置２から送られてくるデータ送信要求、およびパスワードを受信するものである。
【００７３】
表示部２５は、制御部１５から画像データを受信し、受信した画像データに基づいて画像を表示するものである。具体的には、表示部２５は、ＬＣＤ、ＰＤＰ（Plasma Display Panel）、ＥＬディスプレイなどの表示素子と、受信した画像データに基づいて表示素子を駆動するドライバ回路とを備える構成である。
【００７４】
上記構成の携帯電話端末１における処理動作の詳細について図１、図４、図６および図７に基づいて説明する。図６は、携帯電話端末１が行うデータファイル作成処理において、制御部１５が制御する処理動作を示している。
【００７５】
図６に示されるように、まず、情報入力部１１から、音声、静止画像、動画が入力される。（ステップＳ１０（以下「Ｓ１０」と略称することがある。他のステップについても同様である。））。次に、制御部１５は、入力されたデータを記憶部２１内に記憶するか否かを使用者に選択させる（Ｓ１１）。
【００７６】
使用者の選択が、「保存しない」であった場合には（Ｓ１１にてＮＯ）、処理を終了する。
【００７７】
一方、使用者の選択が、「保存する」であった場合には（Ｓ１１にてＹＥＳ）、上記データのファイルを記憶部（メモリ）２１内に記憶する（Ｓ１２）。
【００７８】
次に、表示部２５に例えば図７で示すような画像を表示し、上記データをＷｅｂページで公開するか否かを使用者に選択させる（Ｓ１３）。
【００７９】
使用者の選択が「公開しない」であった場合には（Ｓ１３でＮＯ）、処理を終了する。
【００８０】
一方、使用者の選択が、「公開する」であった場合には（Ｓ１３でＹＥＳ）、図４で示すような公開フラグを上記データに付加する。その後、使用者に対して、該データに対するコメントの入力を促す。使用者は、表示部２５に表示される指示に従ってコメントを入力する（Ｓ１４）。このコメントも、公開フラグと同様に、上記データに付加される。
【００８１】
次に、上記データに対してデータ送信要求があった場合に、該データの送信要求元に対して、パスワードを要求するか否かを使用者に選択させる（Ｓ１５）。パスワードを要求する場合、公開フラグやコメントと同様に、ここで使用者が入力したパスワードが付加される。パスワードが付加されているデータに上記送信要求があった場合、上記要求元に対して該パスワードを要求することになる。
【００８２】
最後に、上記公開フラグ、コメント、および／またはパスワード情報を付加したデータに日付データを付加し、記憶部２１内に記憶する（Ｓ１６）。
【００８３】
以上のようにして、携帯電話端末１は、情報公開するデータを指定することができる。
【００８４】
次に、上記構成の携帯電話端末１における別の処理動作について図８に基づいて説明する。図８は、携帯電話端末１がデータ送信要求に応じてデータを送信する処理において、制御部１５が制御する処理動作を示している。
【００８５】
図８に示されるように、まず、携帯電話端末１内の情報にアクセスがある、すなわち、要求取得部１６がデータ送信要求を取得する（Ｓ２０）。このとき、要求取得部１７は、記憶部２１内のデータファイル２２の中に、要求されているデータが格納されているか否かを調べる。また、該データが格納されていた場合、要求取得部１７は、該データに公開フラグが付与されているか否か、また、データの送信要求元が送出許可端末リスト２３に登録されているか否かを調べる（Ｓ２１）。これにより、端末内に公開してもよいデータが存在するか否かを判断する。
【００８６】
上記データが記憶部２１に格納されていない場合や、格納されていても公開フラグが付加されていない場合、または上記要求元が送出許可端末リスト２３に登録されていない場合（Ｓ２１でＮＯ）、処理を終了する。
【００８７】
一方、上記データが、公開フラグを付加された状態で記憶部２１に格納されており、かつ上記要求元が送出許可端末リスト２３に登録されている場合（Ｓ２１でＹＥＳ）、該データにパスワードが付加されているか否かを調べる（Ｓ２２）。これにより、パスワードの入力を上記要求元に求めるか否かを判断する。
【００８８】
パスワードが付加されていない場合（Ｓ２２でＮＯ）、後述するＳ２５へと処理を進める。
【００８９】
一方、パスワードが付加されている場合（Ｓ２２でＹＥＳ）、認証部１９は、パスワードを要求する情報を、通信部２４を介して、上記データの送信要求元に送信する（Ｓ２３）。
【００９０】
上記要求元から、パスワードが返信されてきた場合、認証部１９でパスワードが正しいか否かを判別する（Ｓ２４）。パスワードが正しくなかった場合（Ｓ２４でＮＯ）、処理を終了する。このとき、エラーメッセージを上記要求元に送信してもよい。一方、パスワードが正しかった場合（Ｓ２４でＹＥＳ）、Ｓ２５に進む。
【００９１】
Ｓ２５では、上記データをデータ変換部１８でＨＴＭＬ形式のＷｅｂページに変換し、通信部２４を介して、上記要求元に送信する。その後、処理を終了する。
【００９２】
以上のようにして、携帯電話端末１は、データを要求元に送信できる。
【００９３】
次に、中継装置２の詳細について図２および図５に基づいて説明すると以下の通りである。
【００９４】
図２は、本実施形態の中継装置２の概略構成を示している。図示のように、中継装置２は、通信部（通信手段）３１、通信部（通信手段）３２、制御部（制御手段）３３、および記憶部（記憶手段）３４を備える。
【００９５】
通信部３１は、携帯電話網４を介して携帯電話端末１とデータ通信を行うものである。また、通信部３２は、インターネット通信網５を介してクライアント端末３とデータ通信を行うものである。なお、本実施形態では、通信部３１と通信部３２とは、別々に構成したものを示したが、通信部３１と通信部３２とを一体に構成することも可能である。
【００９６】
制御部３３は、中継装置２内の各種構成を統括的に制御するものである。制御部３３の機能は、例えばＲＡＭやフラッシュメモリなどの記憶装置に記憶されたプログラムをＣＰＵが実行することによって実現される。制御部３３は、アドレス変換部（中継手段）３５およびカウンタ部３６（集計手段）を備える。
【００９７】
アドレス変換部３５は、クライアント端末３から送られてくるデータ送信要求の送信先を、テーブル（対応テーブル）３７を参照して、携帯電話端末１のＩＰアドレスに変換するものである。
【００９８】
カウンタ部３６は、携帯電話端末１からＷｅｂページのデータが送信された回数および送信されたデータの量を集計し、集計結果をテーブル３７に反映するものである。
【００９９】
記憶部３４は、各種データおよびプログラムを記憶するものである。記憶部３４の例としては、制御部３３が動作するときに必要なプログラム、通信制御データ等の固定データを記憶する読み出し専用の半導体メモリであるＲＯＭ（Read Only Memory）と、データの集計や通信に関するデータ、演算に使用するデータ及び演算結果等を一時的に記憶するいわゆるワーキングメモリとしてのＲＡＭ（Random Access Memory）とが挙げられる。
【０１００】
本実施形態では、記憶部３４はテーブル３７を格納している。テーブル３７には、図５に示すように、ＩＰアドレス、電話番号（使用者ＩＤ）、データ送信回数、および送信されたデータ量が対応付けられている。アドレス変換部３５は、テーブル３７を参照して電話番号とＩＰアドレスの変換を行う。また、カウンタ部が集計したデータ送信回数、および送信されたデータ量は、テーブル３７に反映される。
【０１０１】
上記構成の中継装置２が行う処理動作を図２および図５を参照しながら説明する。
【０１０２】
まず、クライアント端末３が送信するデータ送信要求を、携帯電話端末１に中継する処理の詳細を説明する
通信部３２は、クライアント端末３から送られてきたデータ送信要求を受信し、アドレス変換部３５に渡す。アドレス変換部３５は、記憶部３４に格納されているテーブル３７を参照し、データ送信要求の送り先を携帯電話端末１のＩＰアドレスへと変換する。具体的には、図５に示されるようにテーブル３７には、ＩＰアドレスと電話番号とが対応付けられているので、アドレス変換部３５は、テーブル３７に示される対応関係に従って、データ送信要求の送り先を、電話番号からＩＰアドレスへと変換する。送り先をＩＰアドレスに変換されたデータ送信要求は、通信部３１を介して携帯電話端末１に送信される。
【０１０３】
以上のようにして、中継装置２は、データ送信要求の送り先を変換した後、該データ送信要求を携帯電話端末１に送信する。
【０１０４】
次に、上記データ送信要求に応じて携帯電話端末１が送信するデータを、クライアント端末３に送信する処理の詳細を説明する。
【０１０５】
携帯電話端末１から中継装置２に送られてくるデータは、Ｗｅｂページのデータ、もしくはパスワードの要求のどちらかである。携帯電話端末１から送られてきたデータは、通信部３１を介してアドレス変換部３５に渡される。アドレス変換部３５は、受け取ったデータが、Ｗｅｂページのデータか、もしくはパスワードの要求であるかを判別する。
【０１０６】
受け取った情報がＷｅｂページのデータの場合、カウンタ部３６に該データを渡す。カウンタ部３６は、記憶部３４に格納されているテーブル３７に、受け取ったデータのデータ量、および携帯電話端末１から情報が送信された回数を集計し、テーブル３７を更新する。集計処理が終わると、上記データを情報要求元であるクライアント端末３に通信部３２を介して送信する。なお、集計処理中に上記データをクライアント端末３に送信してもよい。
【０１０７】
一方、受け取ったデータがパスワードの要求であった場合、アドレス変換部３５は、カウンタ部３６にはデータを渡さず、そのまま通信部３２を介してクライアント端末３にパスワード要求を送信する。
【０１０８】
以上のようにして中継装置２は、携帯電話端末１が送信するデータを、クライアント端末３に送信する。
【０１０９】
上記構成によって、クライアント端末３は、データ送信要求の要求先を携帯電話端末１の電話番号に設定して、携帯電話端末１が公開するデータにアクセスすることができる。
【０１１０】
また、携帯電話端末１から送信されるＷｅｂページのデータの送信回数および送信されたデータ量は、カウンタ部３６によって集計され、テーブル３７に反映されるので、中継装置２は、携帯電話端末１が公開するデータに対するアクセス回数および該データが送信されたデータ量を把握することができる。よって、中継装置２は、アクセスが集中する、すなわち、人気のある携帯電話端末を把握することができる。
【０１１１】
ここで、例えば、上記携帯端末が公開するデータの閲覧者が、ＰＣから閲覧する場合には課金されることはないが、携帯電話機から閲覧する場合、上記データ中継装置からデータを受信するときに課金される料金体系とすることもできる。
【０１１２】
上記構成によれば、人気のある携帯端末には、ＰＣからのアクセスが増加すると同時に携帯電話機からのアクセスも増加する。そして、携帯電話機からのアクセスの増加は、料金収入の増加につながる。
【０１１３】
ここで、増加した料金収入の一部を、人気のある携帯端末の使用者に対して、付与することもできる。その場合、カウンタ部３６は、上記集計の結果から、使用者に付与する金額を算出する機能を備えていてもよい。
【０１１４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１１５】
例えば、上記実施形態では、携帯電話端末１に本発明を適用した場合について説明している。しかしながら、本発明はそれに留まるものではなく、携帯可能な通信端末であれば、ＰＨＳ、ＰＤＡ、モバイルＰＣなどの任意の携帯端末に適用することができる。
【０１１６】
また、上記実施形態では、テーブル３７は、携帯電話端末１の電話番号とＩＰアドレスとを対応付けているが、ＩＰアドレスと対応付ける使用者ＩＤは、携帯電話端末１の使用者が任意に決定するものであってもよい。すなわち、本発明の情報公開システムでは、インターネット上におけるハンドルネームやニックネームなど、情報を公開する側にとっても公開された情報を閲覧する側にとっても親しみやすく、アクセスしやすい使用者ＩＤを設定することができる。なお、クライアント端末３はデータ送信の要求先として、ＩＰアドレスを送信してもよい。この場合、使用者ＩＤからＩＰアドレスへの変更は不要である。
【０１１７】
最後に、携帯電話端末１および中継装置２の各ブロック、特に制御部１５、および制御部３３は、ハードウェアロジックによって構成してもよいし、次のようにＣＰＵを用いてソフトウェアによって実現してもよい。
【０１１８】
すなわち、携帯電話端末１および中継装置２は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである携帯電話端末１の制御プログラムのプログラムコード（実行形式プログラム、中間コードプログラム、ソースプログラム）をコンピュータで読み取り可能に記録した記録媒体を、上記携帯電話機１に供給し、そのコンピュータ（またはＣＰＵやＭＰＵ）が記録媒体に記録されているプログラムコードを読み出し実行することによっても、達成可能である。
【０１１９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２０】
また、携帯電話端末１および中継装置２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１２１】
本発明は、携帯電話端末のみならず、ＰＨＳ、ＰＤＡ、モバイルＰＣ等様々な携帯端末で容易な情報公開を可能にする。
【図面の簡単な説明】
【０１２２】
【図１】本発明の一実施形態である情報公開システムにおける携帯電話端末の要部の概略構成を示すブロック図である。
【図２】上記情報公開システムにおける中継装置の要部の概略構成を示すブロック図である。
【図３】上記情報公開システムの概略図である。
【図４】上記携帯電話端末の記憶部に記憶されるデータファイルの一例を示す図である。
【図５】上記中継装置の記憶部に記憶されるテーブルの一例を示す図である。
【図６】上記携帯電話端末の制御部にて実行されるファイル作成処理の流れを示すフローチャートである。
【図７】上記携帯電話端末の表示部に表示される、データ公開の可否を問う画像の一例を示す図である。
【図８】上記携帯電話端末の制御部にて実行される、データ送信処理の流れを示すフローチャートである。
【符号の説明】
【０１２３】
１    携帯電話端末（携帯端末）
２    中継装置（データ中継装置）
３    クライアント端末（要求元）
４    携帯電話網（通信ネットワーク）
５    インターネット通信網（通信ネットワーク）
６    情報公開システム（データ提供システム）
１１    情報入力部（入力手段）
１２    画像入力部
１３    音声入力部
１４    文字入力部
１５    制御部（制御手段）
１６    ファイル作成部（データ取得手段、表示制御手段、編集手段）
１７    要求取得部（要求取得手段）
１８    データ変換部（データ送出手段）
１９    認証部（認証手段）
２０    操作入力部
２１    記憶部（記憶手段）
２２    データファイル
２３    送出許可端末リスト
２４    通信部（通信手段）
２５    表示部（表示手段）
３１    通信部（通信手段）
３２    通信部（通信手段）
３３    制御部（制御手段）
３４    記憶部（記憶手段）
３５    アドレス変換部（中継手段）
３６    カウンタ部（集計手段）
３７    テーブル（対応テーブル）
【図１】
2007188189.tif 000003
【図２】
2007188189.tif 000004
【図３】
2007188189.tif 000005
【図４】
2007188189.tif 000006
【図５】
2007188189.tif 000007
【図６】
2007188189.tif 000008
【図７】
2007188189.tif 000009
【図８】
2007188189.tif 000010